(57)【要約】      （修正有）【課題】清掃時に封水部内の排水の一部又は全部を、排出口または排出口の下流側に排出することで、トラップ本体内部の清掃を容易に行うことができる封水式排水トラップを提供する。【解決手段】排水が流入する排水口１ａ及び排水を流出させる排出口１ｂを備えたトラップ本体１と、排水口１ａから排出口１ｂの間に設けられた、排水を溜める封水部４と、略筒状を成し、トラップ本体１に着脱自在に取り付けられることで、排水口１ａから排出口１ｂに至る流路の少なくとも一部を水封状態とする防臭筒部３ａとからなる封水式排水トラップにおいて、防臭筒部３ａと、封水部４の壁面の一部である着脱壁５と、防臭筒部３ａと着脱壁５とを接続する接続部６とから成る水封部材２を備え、着脱壁５がトラップ本体１から分離することで、封水部４に溜まった排水の一部又は全部が、排出口１ｂまたは排出口１ｂの下流側に排出するように構成する。【選択図】図２
2014163164.tif 000002
【特許請求の範囲】
【請求項１】
排水が流入する排水口１ａ及び排水を流出させる排出口１ｂを備えたトラップ本体１と、
排水口１ａから排出口１ｂの間に設けられた、排水を溜める封水部４と、
略筒状を成し、トラップ本体１に着脱自在に取り付けられると共に、トラップ本体１への取り付け時、上端周縁が排水口１ａに接続され、下端が封水部４の上端よりも下方且つ封水部４底面より上方に位置するように配置されることで、排水口１ａから排出口１ｂに至る流路の少なくとも一部を水封状態とする防臭筒部３ａと、
からなる封水式排水トラップにおいて、
防臭筒部３ａと、
封水部４の壁面の一部であって、トラップ本体１から着脱可能な着脱壁５と、
トラップ本体１への取り付け時、防臭筒部３ａと着脱壁５とを一体の部材として機能するように接続する接続部６と、
から成る水封部材２を備え、
着脱壁５がトラップ本体１から分離することで、封水部４に溜まった排水の一部又は全部が、排出口１ｂまたは排出口１ｂの下流側に排出するように構成したことを特徴とする、封水式排水トラップ。
【請求項２】
上記封水式排水トラップにおいて、
着脱壁５を略筒形状とすると共に、
水封部材２のトラップ本体１への取り付け時、着脱壁５の下端を全周に渡ってトラップ本体１内部に接続させることで封水部４を形成すると共に、
水封部材２のトラップ本体１からの取り出し時、封水部４内の排水の一部または全部が、排出口１ｂから排水されることを特徴とする、請求項１に記載の封水式排水トラップ。
【請求項３】
上記封水式排水トラップにおいて、
封水部４から排出口１ｂの下流に連通するバイパス部７を設けると共に、
着脱壁５によって、バイパス部７を閉塞するように構成したことを特徴とする、請求項１に記載の封水式排水トラップ。
【請求項４】
排水が流入する排水口１ａ及び排水を流出させる排出口１ｂを備えたトラップ本体１と、
排水口１ａから排出口１ｂの間に設けられた、排水を溜める封水部４と、
トラップ本体１に着脱自在に取り付けられると共に、封水部４にその一部を配置することで、排水口１ａから排出口１ｂに至る流路の少なくとも一部を満水状態とする水封部材２と、からなる封水式排水トラップにおいて、
排出口１ｂをトラップ本体１の側面部分に設けると共に、
トラップ本体１の、排出口１ｂよりも低い高さ位置に、排出口１ｂの下流に連通するバイパス部７を設け、
水封部材２を、
トラップ本体１への取り付け時、上端が閉塞され下端が開放された略椀形状であって、側面部分に流出口１４を設けると共に、流出口１４が排出口１ｂに接続され、下端がトラップ本体１の底面より上方に位置するように配置される防臭椀部３ｂと、
バイパス部７を閉塞する着脱壁５と、
防臭椀部３ｂと着脱壁５とを一体の部材として機能するように接続する接続部６と、
から構成したことを特徴とする、封水式排水トラップ。
【発明の詳細な説明】
【技術分野】
【０００１】
本発明は洗面台、流し台、浴槽、浴室、洗濯機パンなどの排水機器の槽体に取り付けられる、封水式排水トラップに関するものである。
【背景技術】
【０００２】
従来、面台、流し台、浴槽、浴室、洗濯機パン等、使用によって排水を生じる機器（以下「排水機器」と記載）には、生じた排水を下水側に処理するために、排水配管が備えられる。
具体的には、洗面台の洗面ボウル、流し台のシンク、浴室の防水パン等の、排水機器に備えられる槽体の底面に、排水が流入する排水口を設け、この排水口から下水側の配管までを、主にパイプ管からなる排水配管によって接続してなる。
また、この排水配管には、臭気や害虫類が屋内側に逆流しないように、通常排水配管の途中部分に排水トラップと呼ばれる、臭気や害虫類の下水側からの逆流を防止する部材を配管してなる。
以下に従来の排水トラップを採用した、排水機器とその排水配管を、図面を参照しつつ説明する。
図２１に示した、特許文献１に記載の排水機器とその排水配管は、以下に記載する、排水トラップ、及び配管部材より構成される。
排水トラップは、以下に記載するトラップ本体、及び防臭椀部材より構成される。
トラップ本体は、上方を開口した有底円筒状の部材であって、上方の開口部分を、槽体内の排水が流入する排水口とすると共に、底面に排水を流出させる排出口を備えてなる。更に、排出口に連通すると共に、トラップ本体の底面から上方に垂立するようにして、円筒形状の防臭筒部をトラップ本体と一体に備えてなる。
防臭椀部材は、略椀形状であって、トラップ本体への取り付け時、防臭筒部を覆うと共に、下端部分が防臭筒部の上端よりも下方且つトラップ本体の底面よりも上方に、着脱自在に配置固定される。
配管部材は、塩ビ材等硬質樹脂からなる管体であって、直管、曲がり管などから構成されてなる。
上記のように構成された各部材は、以下のようにして、配管される。
まず槽体の取付孔に、トラップ本体の排水口を接続固定する。次に、トラップ本体の排出口と、下水側に繋がる床下配管とを、配管部材を介して接続する。
最後に、防臭椀部材を、トラップ本体内部に、防臭筒部を覆うように配置固定して、槽体への排水トラップの施工が完了する。
上記のように構成した排水配管について、排水機器を使用して、槽体内に排水が生じると、排水が排水トラップの排水口からトラップ本体内部に流入する。トラップ本体内部に流入した排水は、そのまま防臭筒部の上縁まで溜まってゆく。排水の溜まりが防臭筒部の上縁に達すると、その上縁を超えて防臭筒部内部を流れ、排出口から配管部材を介して床下配管に排出され、最終的に下水側に排出される。
この時、トラップ本体の底面から、防臭筒部の上縁まで排水が溜まると共に、防臭椀部材の下端部分が防臭筒部の上端よりも下方且つトラップ本体の底面よりも上方に配置固定されているため、排水口から排出口に至る流路の途中部分、具体的には、トラップ本体の内側と防臭椀部材の外側の間であって溜まり水の水面（図２１のＡで示した部分）を起点とし、防臭椀部材の内側から防臭筒部の外側の間であって溜まり水の水面（図２１のＢで示した部分）までの部分の流路が、常に満水状態となる。この流路上の満水状態の部分（図２１のＡからＢに至る流路）を、下水側から逆流した臭気や害虫類は進むことができないため、臭気や害虫類が屋内側に侵入することが防がれる。
このように、トラップ本体内部の、排水の流路を満水状態とする排水溜まりを「封水」、トラップ本体の封水を溜める部分を「封水部」と呼ぶ。また、封水を利用して、排水トラップ内部の、排水の流路の一部を常に満水状態にすることで、臭気や害虫類の屋内側への逆流を防止する構造の排水トラップを、「封水式排水トラップ」と呼ぶ。また、臭気や害虫類の屋内側への逆流を、封水を利用し排水の流路を満水とすることで防止した状態を、以下「水封状態」と記載する。
上記した特許文献１に記載の封水式排水トラップは、防臭椀部材を利用した封水式排水トラップであるが、封水式排水トラップは、上記のような防臭椀部材を利用した構造のもの以外にも、図２２に示したような、特許文献２に記載の、排水口に接続された、防臭筒部材と呼ばれる筒状の部材を利用して、水封状態を作り出すものがある。
【０００３】
図２２に示した、特許文献２に記載の排水機器とその排水配管は、以下に記載する排水トラップ、及び配管部材より構成される。
排水トラップは、以下に記載するトラップ本体、及び防臭筒部材より構成される。
トラップ本体は、上方を開口した有底円筒状の部材であって、上方の開口部分を、槽体内の排水が流入する排水口とすると共に、側面の中間よりも若干上方となる位置に排水を流出させる排出口を備えてなる。
防臭筒部材は、略円筒形状を成す筒部と、該筒部の上端から、外周方向に周縁に沿って連続して突出した取付部と、から構成される。
配管部材は、塩ビ材等硬質樹脂からなる管体であって、直管、曲がり管などから構成されてなる。
上記のように構成された各部材は、以下のようにして、配管される。
まず槽体の取付孔に、トラップ本体の排水口を接続固定する。次に、トラップ本体の排出口と、下水側に繋がる床下配管とを、配管部材を介して接続する。
最後に、防臭筒部材を、トラップ本体内部に配置されるように、取付部を排水口に接続することで、槽体への排水トラップの施工が完了する。
上記のように構成した排水配管について、排水機器を使用して、槽体内に排水が生じると、排水が排水トラップの排水口から防臭筒部材の筒部分内部を通過し、トラップ本体内に流入する。トラップ本体内部に流入した排水は、そのまま排出口の下端まで溜まってゆく。排水の溜まりが排出口の下端に達すると、排水は排出口の下端を超えて、排出口から配管部材を介して床下配管に排出され、最終的に下水側に排出される。
この時、トラップ本体の底面から、排出口の下端まで排水が溜まって封水を形成すると共に、防臭筒部材の下端部分が排出口の下端よりも下方且つトラップ本体の底面よりも上方に配置固定されているため、排水口から排出口に至る流路の途中部分、具体的には、防臭筒部材の筒部分の内側の封水水面（図２２のＡで示した部分）を起点とし、トラップ本体の内側と防臭筒部材の外側の間の封水水面（図２２のＢで示した部分）までの部分の流路が、常に満水状態となる。この流路上の満水状態の部分（図２２のＡからＢに至る流路）を、下水側から逆流した臭気や害虫類は進むことができないため、臭気や害虫類が屋内側に侵入することが防がれる。
【０００４】
【特許文献１】実開昭５１−０３６２４９号公報
【特許文献２】特開２００５−１３３３１４号公報
【発明の開示】
【発明が解決しようとする課題】
【０００５】
排水機器の使用によって生じる排水は、例えば流し台であれば食材などの油分や厨芥類など、洗面台であれば泥や砂など、浴室であれば毛髪など、それぞれ使用によって生じた塵芥とそれらを洗う際の石鹸・洗剤成分が混入している。このため、排水を排出する排水トラップ内部にも、これらの塵芥と石鹸・洗剤成分が堆積し、排水トラップの各部材を汚したり、また管詰まりを生じたりする場合がある。このため、通常排水トラップにおいては、排水トラップを構成する部材を、トラップ本体から分離させ、取り出せるようにして、トラップ本体の内部や取り出した部材を清掃できるようにしている。
しかしながら、特許文献１に記載の従来例から防臭椀部材を取り出しても、その内部には封水が溜まった状態のままであるため、内部に溜まった塵芥などが確認し難く、また封水により洗剤が拡散して薄められてしまうため洗剤等を有効に活用させ難い。また、封水は排水であり、油成分やヌメリなどで汚れているので、清掃の為に手を差し込むにも不快感を生じる。更に清掃が終わって、洗剤やトラップ本体内面から分離した塵芥などを洗い流すために蛇口等から吐水を行っても、封水部内に残った清掃時の排水と吐水とが混ざるだけで、封水部内部に溜まった清掃時の排水は希釈はされても洗い流すことはなかなかできず、汚れが留まった状態のままとなる、といった問題があった。
この問題を解決するため、特許文献１に記載の、トラップ本体に防臭筒部を備え、防臭筒部に封水椀部を被せる構造の排水トラップでは、防臭筒部をトラップ本体から取り外し可能とすることで、トラップ本体内部の封水を排出口から排出させ、清掃を容易に行う方法が考案されている。しかしながら、この特許文献１に記載の排水トラップでは、防臭筒部材を取り外すためには、清掃の為に封水の中に手を差し込まねばならず、汚水である封水の中に手を差し込む不快感がある、という問題を解消することはできなかった。
また、特許文献２に記載の、排水口に接続される防臭筒部材を利用し、トラップ本体に封水を溜める構造の封水式排水トラップの場合、封水部の外壁部分を取り外すことは、そのままトラップ本体の内部と外部を貫通する孔を設ける事であり、当然ながら封水がキャビネットや床下空間などに流出してしまうことになるため、採用することができない。封水を溜める椀状の部材を別途トラップ本体内部に配置する方法もあるが、この方法でも、椀状部材を取り外すためには、清掃の為に封水の中に手を差し込まねばならず、汚水である封水の中に手を差し込む不快感がある、という問題を解消することはできなかった。
本発明は上記の問題点に鑑みてなされたものであり、その目的とするところは、封水式排水トラップにおいて、清掃時に封水部内の排水の一部又は全部を、排出口または排出口の下流側に排出することで、トラップ本体内部の清掃を容易に行うことができるようにするものである。
【課題を解決するための手段】
【０００６】
請求項１に記載の本発明は、排水が流入する排水口１ａ及び排水を流出させる排出口１ｂを備えたトラップ本体１と、排水口１ａから排出口１ｂの間に設けられた、排水を溜める封水部４と、略筒状を成し、トラップ本体１に着脱自在に取り付けられると共に、トラップ本体１への取り付け時、上端周縁が排水口１ａに接続され、下端が封水部４の上端よりも下方且つ封水部４底面より上方に位置するように配置されることで、排水口１ａから排出口１ｂに至る流路の少なくとも一部を水封状態とする防臭筒部３ａと、からなる封水式排水トラップにおいて、
防臭筒部３ａと、封水部４の壁面の一部であって、トラップ本体１から着脱可能な着脱壁５と、トラップ本体１への取り付け時、防臭筒部３ａと着脱壁５とを一体の部材として機能するように接続する接続部６と、から成る水封部材２を備え、
着脱壁５がトラップ本体１から分離することで、封水部４に溜まった排水の一部又は全部が、排出口１ｂまたは排出口１ｂの下流側に排出するように構成したことを特徴とする、封水式排水トラップである。
【０００７】
請求項２に記載の本発明は、上記封水式排水トラップにおいて、着脱壁５を略筒形状とし、水封部材２のトラップ本体１への取り付け時、着脱壁５の下端を全周に渡ってトラップ本体１内部に接続させることで封水部４を形成すると共に、水封部材２のトラップ本体１からの取り出し時、封水部４内の排水の一部または全部が、排出口１ｂから排水されることを特徴とする、段落０００５に記載の封水式排水トラップである。
【０００８】
請求項３に記載の本発明は、上記封水式排水トラップにおいて、封水部４から排出口１ｂの下流に連通するバイパス部７を設けると共に、着脱壁５によって、バイパス部７を閉塞するように構成したことを特徴とする、段落０００５に記載の封水式排水トラップである。
【０００９】
請求項４に記載の本発明は、排水が流入する排水口１ａ及び排水を流出させる排出口１ｂを備えたトラップ本体１と、排水口１ａから排出口１ｂの間に設けられた、排水を溜める封水部４と、トラップ本体１に着脱自在に取り付けられると共に、封水部４にその一部を配置することで、排水口１ａから排出口１ｂに至る流路の少なくとも一部を満水状態とする水封部材２と、からなる封水式排水トラップにおいて、排出口１ｂをトラップ本体１の側面部分に設けると共に、トラップ本体１の、排出口１ｂよりも低い高さ位置に、排出口１ｂの下流に連通するバイパス部７を設け、
水封部材２を、トラップ本体１への取り付け時、上端が閉塞され下端が開放された略椀形状であって、側面部分に流出口１４を設けると共に、流出口１４が排出口１ｂに接続され、下端がトラップ本体１の底面より上方に位置するように配置される防臭椀部３ｂと、バイパス部７を閉塞する着脱壁５と、防臭椀部３ｂと着脱壁５とを一体の部材として機能するように接続する接続部６と、から構成したことを特徴とする、封水式排水トラップである。
【発明の効果】
【００１０】
請求項１に記載の本発明によれば、水封部材として防臭筒部を備える封水式排水トラップにおいて、水封部材をトラップ本体から取り出すことで、封水部内の排水を排出口または排出口の下流側に排出することができる。このため、トラップ本体内部の清掃を容易に行うことができる。
請求項２に記載の本発明では、封水部の側壁として、略筒形状の着脱壁を備えたことで、水封部材を取り出す際に、封水部内の排水を排出口から排出することができる。
請求項３に記載の本発明では、バイパス部を設け、このバイパス部を介して封水を排出口の下流側に排出するように構成したことで、トラップ本体の側面を、そのまま封水部として使用する場合でも、封水部内の排水をバイパス管路から排出口の下流側に排出することができる。
請求項４に記載の本発明では、水封部材として防臭椀部を備える封水式排水トラップにおいて、バイパス部を設け、このバイパス部を介して封水を排出口の下流側に排出するように構成したことで、トラップ本体の側面を、そのまま封水部として使用する場合でも、封水部内の排水をバイパス管路から排出口の下流側に排出することができる。
【図面の簡単な説明】
【００１１】
【図１】第一実施例の排水配管の施工状態を示す断面図である。
【図２】第一実施例の排水トラップの断面図である。
【図３】第一実施例の排水トラップの、水封部材を分離した状態の断面図である。
【図４】第一実施例の排水トラップの、部材構成を示す断面図である。
【図５】第一実施例の排水トラップの、部材構成を示す一部を切り欠きした斜視図である。
【図６】第二実施例の排水配管の施工状態を示す断面図である。
【図７】第二実施例の排水トラップの断面図である。
【図８】第二実施例の排水トラップの、水封部材を分離した状態の断面図である。
【図９】第二実施例の排水トラップの、部材構成を示す断面図である。
【図１０】第二実施例の排水トラップの、部材構成を示す一部を切り欠きした斜視図である。
【図１１】第三実施例の排水配管の施工状態を示す断面図である。
【図１２】第三実施例の排水トラップの断面図である。
【図１３】第三実施例の排水トラップの、水封部材を分離した状態の断面図である。
【図１４】第三実施例の排水トラップの、部材構成を示す断面図である。
【図１５】第三実施例の排水トラップの、部材構成を示す一部を切り欠きした斜視図である。
【図１６】他の実施例の排水トラップの断面図である。
【図１７】他の実施例の排水トラップの断面図である。
【図１８】図１７の排水トラップの、水封部材を分離した状態の断面図である。
【図１９】他の実施例の排水トラップの断面図である。
【図２０】図１９の排水トラップの、水封部材を分離した状態の断面図である。
【図２１】従来の排水トラップの断面図である。
【図２２】従来の排水トラップの断面図である。
【実施例】
【００１２】
以下に、本発明の第一実施例を、図面を参照しつつ説明する。
図１乃至図５に示した本発明の第一実施例は、排水機器としての流し台Ｋと、その排水を行う排水配管に関するものであって、以下に記載する、流し台Ｋ、排水トラップ、及び配管部材１２等の部材より構成される。
流し台Ｋは、底面に取付孔Ｈを設けた槽体としてのシンクＳと、その下方に配置されるキャビネット部Ｃと、から構成される。
排水トラップは、以下に記載するトラップ本体１、ナット部材１１、及び水封部材２より構成される。
トラップ本体１は、上方を開口した有底円筒状の部材であって、上方の開口部分を、槽体であるシンクＳ内の排水が流入する排水口１ａとすると共に、側面の下端近傍に、下方に向かって傾斜する管体部分を備えた、排水を排出させる排出口１ｂを備えてなる。トラップ本体１の内側底面には、後述する水封部材２の着脱壁５下端と当接する当接部１０を備えてなる。具体的には、トラップ本体１の底面中央に、上方に向かって凸となる突出部分を設け、この周囲を当接部１０として構成してなる。
また、排水口１ａの外側面上端には、周縁に沿って連続するようにして外方向に突出するフランジ部９を有すると共に、フランジ部９の下方側面に雄ネジ部８を備えてなる。尚、トラップ本体１の外径は取付孔Ｈよりも小径で、フランジ部９の外径は取付孔Ｈよりも大径である。
ナット部材１１は環状の部材であって、内側面に上記トラップ本体１の雄ネジ部８と螺合する雌ネジ部１１ａを備えてなる。
水封部材２は、以下のような防臭筒部３ａ、着脱壁５、及び防臭筒部３ａと着脱壁５とを一体に接続する接続部６、から構成される。
防臭筒部３ａは、略円筒形状を成す筒部と、該筒部の上端から、外周方向に周縁に沿って連続して突出した取付部２ａと、から構成される。尚、取付部２ａの外縁部分は、回転ロック嵌合により、排水口１ａの内側面に接続固定される。
着脱壁５は、略円筒形状であって、下端部分は、水封部材２がトラップ本体１に取り付けられる際、トラップ本体１内部の当接部１０に全周に渡って水密的に当接し、接続される。
接続部６は、防臭筒部３ａと着脱壁５とを一体に接続する部分であって、防臭筒部３ａの下端が、円筒状を成す着脱壁５の上端よりも下方であって、且つ防臭筒部３ａの取付部２ａを排水口１ａに嵌合固定した際に、着脱壁５の下端がトラップ本体１の当接部１０に水密的に当接する位置関係に防臭筒部３ａと着脱壁５とを接続する。
配管部材１２は、塩ビ材等硬質樹脂からなる管体であって、直管、曲がり管などから構成される管体と、それらを接続するナット体、クイックバンドＱ等よりなる。
また、防臭筒部３ａの取付部２ａの外縁部分と、トラップ本体１の排水口１ａとの嵌合／解除は、回転ロック嵌合により、水封部材２を回転させることで容易に行うことができる。
また、上記排水口１ａと取付部２ａとの嵌合により、当接部１０と着脱壁５下端とは、パッキングを介して強く押し当てられ、水密的に接続される。このように、当接部１０と着脱壁５下端が水密的に接続されることにより、トラップ本体１の底面及び着脱壁５によって防臭椀部３ｂが形成される。
尚、本実施例においては、詳述はしないが、必要に応じて各部材の接続部分はパッキングや接着などの方法により水密的に接続される。例えば水封部材２の場合、トラップ本体１の排水口１ａと、防臭筒部３ａの外縁部分とは、嵌合の際にパッキングを利用して着脱自在且つ水密的に接続される。このように、本実施例においては、「水密的に接続した」と特に記載した接続部分以外は水密的に接続されていない、という事ではない。
【００１３】
上記のように構成された各部材は、以下のようにして、排水機器の槽体である流し台ＫのシンクＳに配管される。
まず流し台ＫのシンクＳの取付孔Ｈに、トラップ本体１を上方から挿通させ、トラップ本体１のフランジ部９下面を、シンクＳの取付孔Ｈ周縁の上面に当接させる。次に、トラップ本体１の下方よりナット部材１１を挿通し、トラップ本体１の雄ネジ部８と、ナット部材１１の雌ネジ部１１ａを螺合させることで、トラップ本体１のフランジ部９下面とナット部材１１上面とで、取付孔Ｈの周縁を挟持してトラップ本体１をシンクＳに固定する。
次に、トラップ本体１の排出口１ｂと、下水側に繋がる床下配管とを、配管部材１２を介して接続する。本実施例では、配管部材の一種であるクイックパンドＱを利用して、排出口１ｂに連続する管体部分の端部と、配管部材１２端部との接続を行っている。
最後に、トラップ本体１の排水口１ａと、水封部材２の取付部２ａの外縁部分とを、回転ロック嵌合により、パッキングを利用して水密的に嵌合固定させる。また、上述のように、トラップ本体１の排水口１ａと、水封部材２の取付部２ａの外縁部分との回転ロック嵌合によって、当接部１０と着脱壁５下端とは、パッキングを介して強く押し当てられ、水密的に接続され、防臭椀部３ｂを形成する。このようにして、第一実施例の封水式排水トラップの、流し台ＫのシンクＳへの施工が完了する。
【００１４】
上記のように構成した流し台Ｋの排水配管について、流し台Ｋを使用して、シンクＳ内に排水が生じると、排水が排水トラップの排水口１ａから、防臭筒部３ａを通過して、トラップ本体１内部の底面及び着脱壁５内部、即ち防臭椀部３ｂ内に流入する。防臭椀部３ｂ内に流入した排水は、そのまま円筒状の防臭椀部３ｂの外側面、つまり着脱壁５の上端まで溜まってゆく。排水の溜まりが防臭椀部３ｂの上端に達すると、排水は防臭椀部３ｂの上端を超えて、トラップ本体１内部であって防臭椀部３ｂの外側面を流れ、排出口１ｂから配管部材１２を介して床下配管に排出され、最終的に下水側に排出される。
この時、防臭椀部３ｂの内部、即ちトラップ本体１の底面から、着脱壁５の上端まで排水が溜まって封水を形成する。即ち、本実施例では、防臭椀部３ｂ（トラップ本体１の底面から着脱壁５の上端部分まで）の内部が封水部４である。
また、水封部材２の防臭筒部３ａが、防臭椀部３ｂの内部であって、防臭筒部３ａの下端部分が防臭椀部３ｂの上端よりも下方且つトラップ本体１の底面よりも上方に配置固定されているため、排水口１ａから排出口１ｂに至る流路の途中部分、具体的には、防臭筒部３ａの内側の封水水面（図２のＡで示した部分）を起点とし、防臭筒部３ａの外側と防臭椀部３ｂの内側の間の封水水面（図２のＢで示した部分）までの部分の流路を水封状態とする。この水封部分（図２のＡからＢに至る流路）を、下水側から逆流した臭気や害虫類は進むことができないため、臭気や害虫類が屋内側に侵入することが防止される。
【００１５】
更に上記第一実施例の封水式排水トラップにおいて、内部の清掃を行う場合、水封部材２の取付部２ａの外縁部分と、トラップ本体１の排水口１ａとの嵌合を解除し、排水口１ａから水封部材２を取り出すようにする。具体的には、防臭筒部３ａを回転させると、回転ロック嵌合が解除され、排水口１ａから防臭筒部３ａの取り出しが可能になると共に、接続部６によって接続されている着脱壁５も、接続部６によって防臭筒部３ａに接続されているため、図３に示したように、排水口１ａから防臭筒部３ａと同時に取り出すことができる。つまり、水封部材２全体を一度にトラップ本体１から取り出すことができる。
このようにして、着脱壁５下端とトラップ本体１の底面との当接が解除されることで、封水部４内の封水が、トラップ本体１の側面下方にある排出口１ｂの開口から下水側に排出され、トラップ本体１内部からは封水を含む全ての排水が流出する。特に本実施例では、トラップ本体１の底面に、上方に向かって凸とした突出部分を設け、この周囲を当接部１０として構成し、排出口１ｂの下端が突出部分よりも下方に位置してなるため、トラップ本体１内部に排水が残る事がない。このため、清掃時に、封水の影響を受けることなく、トラップ本体１内部の清掃を極めて容易に行うことができる。
【００１６】
次に、本発明の第二実施例を、図面を参照しつつ説明する。
図６乃至図１０に示した本発明の第二実施例は、排水機器としての流し台Ｋと、その排水を行う排水配管に関するものであって、以下に記載する、流し台Ｋ、排水トラップ、及び配管部材１２等の部材より構成される。
流し台Ｋは、底面に取付孔Ｈを設けた槽体としてのシンクＳと、その下方に配置されるキャビネット部Ｃと、から構成される。
排水トラップは、以下に記載するトラップ本体１、ナット部材１１、及び水封部材２より構成される。
トラップ本体１は、上方を開口した有底円筒状の部材であって、上方の開口部分を、槽体であるシンクＳ内の排水が流入する排水口１ａとすると共に、側面の中間よりも若干上方となる位置に、下方に向かって傾斜する管体部分を備えた、排水を流出させる排出口１ｂを備えてなる。
また、排水口１ａの外側面上端には、周縁に沿って連続するようにして外方向に突出するフランジ部９を有すると共に、フランジ部９の下方側面に雄ネジ部８を備えてなる。尚、トラップ本体１の外径は取付孔Ｈよりも小径で、フランジ部９の外径は取付孔Ｈよりも大径である。
更にトラップ本体１の内側底面には、後述する水封部材２の着脱壁５によって閉塞されるバイパス排水口１ｃを備えてなる。
ナット部材１１は環状の部材であって、内周面に上記トラップ本体１の雄ネジ部８と螺合する雌ネジ部１１ａを備えてなる。
水封部材２は、以下のような防臭筒部３ａ、着脱壁５、及び防臭筒部３ａと着脱壁５とを一体に接続する接続部６、から構成される。
防臭筒部３ａは、略円筒形状を成す筒部と、該筒部の上端から、外周方向に周縁に沿って連続して突出した取付部２ａと、から構成される。尚、取付部２ａの外縁部分は、回転ロック嵌合により、排水口１ａの内側面に接続固定される。
着脱壁５は、トラップ本体１のバイパス排水口１ｃを閉塞する円盤状の部材であって、防臭筒部３ａが排水口１ａに取り付けられる際、トラップ本体１内部のバイパス排水口１ｃに接続されてバイパス排水口１ｃを閉塞する。
接続部６は、防臭筒部３ａと着脱壁５とを一体に接続する部分であって、防臭筒部３ａの下端から着脱壁５に向かって延出した、複数のリブにより構成される。尚、防臭筒部３ａ内部を通過する排水は、この接続部６のリブの間を支障無く通過することができる。
配管部材１２は、塩ビ材等硬質樹脂からなる管体であって、直管、曲がり管などから構成される管体と、それらを接続するナット体、クイックバンドＱ等よりなる。
更に本実施例では、配管部材１２の一種として、トラップ本体１の排出口１ｂ及びバイパス排水口１ｃに接続される、下記のような三方管１３を備えてなる。
三方管１３は、上流側端部がトラップ本体１の排出口１ｂに接続される主管部分１３ａと、主管部分１３ａの側面から側方に延出し、端部がバイパス排水口１ｃに接続されるバイパス部７と、から構成される。
また、防臭筒部３ａの取付部２ａの外縁部分と、トラップ本体１の排水口１ａとの嵌合／解除は、回転ロック嵌合により、水封部材２を回転させることで容易に行うことができる。
また、上記排水口１ａと取付部２ａとの嵌合により、バイパス排水口１ｃと着脱壁５側面とは、パッキングを介して強く押し当てられ、水密的に接続される。このように、バイパス排水口１ｃと着脱壁５が水密的に接続されることにより、トラップ本体１の底面及び排出口１ｂまでの側面によって防臭椀部３ｂが形成される。
尚、本実施例においては、詳述はしないが、必要に応じて各部材の接続部分はパッキングや接着などの方法により水密的に接続される。例えば水封部材２の場合、トラップ本体１の排水口１ａと、防臭筒部３ａの外縁部分とは、嵌合の際にパッキングを利用して着脱自在且つ水密的に接続される。このように、本実施例においては、「水密的に接続した」と特に記載した接続部分以外は水密的に接続されていない、という事ではない。
【００１７】
上記のように構成された各部材は、以下のようにして、排水機器の槽体である流し台ＫのシンクＳに配管される。
まず流し台ＫのシンクＳの取付孔Ｈに、トラップ本体１を上方から挿通させ、トラップ本体１のフランジ部９下面を、シンクＳの取付孔Ｈ周縁の上面に当接させる。次に、トラップ本体１の下方よりナット部材１１を挿通し、トラップ本体１の雄ネジ部８と、ナット部材１１の雌ネジ部１１ａを螺合させることで、トラップ本体１のフランジ部９下面とナット部材１１上面とで、取付孔Ｈ周縁を挟持してトラップ本体１をシンクＳに固定する。
次に、トラップ本体１の排出口１ｂ及びバイパス排水口１ｃを、三方管１３を利用して、次のように接続する。トラップ本体１の排出口１ｂに連続する管体部分の端部を三方管１３の上端に、トラップ本体１のバイパス排水口１ｃからの配管をバイパス管７の端部に、それぞれ接続する。本実施例では、配管部材の一種であるクイックパンドＱを利用して、トラップ本体１と三方管１３の各接続箇所の接続を行っている。これにより、封水部４（後述するが、本実施例では、防臭椀部３ｂは、トラップ本体１の、底面から排出口１ｂの下端部分までの側面であり、その内部が封水部４となる）から排出口１ｂの下流に連通するバイパス部７が形成される。
次に、三方管１３の下流側端部と、下水側に繋がる床下配管とを、配管部材１２を介して接続する。
最後に、トラップ本体１の排水口１ａと、水封部材２の取付部２ａの外縁部分とを、回転ロック嵌合により、パッキングを利用して水密的に嵌合固定させる。
この時、バイパス排水口１ｃには着脱壁５が嵌め込まれると共に、着脱壁５の外側面と、バイパス排水口１ｃの内側面とがパッキングを介して水密的に接続され、バイパス排水口１ｃが閉塞される。
このようにして、第二実施例の封水式排水トラップの、流し台ＫのシンクＳへの施工が完了する。
【００１８】
上記のように構成した流し台Ｋの排水配管について、流し台Ｋを使用して、シンクＳ内に排水が生じると、バイパス排水口１ｃが閉塞されているため、排水が排水トラップの排水口１ａから、防臭筒部３ａを通過して、トラップ本体１内部に流入する。トラップ本体１の内部に流入した排水は、そのまま排出口１ｂの下端部分まで溜まってゆく。排水の溜まりが排出口１ｂの下端に達すると、そのまま排出口１ｂの下端を超えて、排出口１ｂから三方管１３の主管部分１３ａを通過し、配管部材１２を介して床下配管に排出され、最終的に下水側に排出される。
この時、トラップ本体１の底面から、着脱壁５の上縁まで排水が溜まって封水を形成する。即ち、本実施例では、トラップ本体１内部の、トラップ本体１の底面から排出口１ｂの下端部分までが防臭椀部３ｂであり、その内部が封水部４である。
また、水封部材２の防臭筒部３ａが、防臭椀部３ｂの内部であって、防臭筒部３ａの下端部分が防臭椀部３ｂの上端よりも下方且つトラップ本体１の底面よりも上方に配置固定されているため、排水口１ａから排出口１ｂに至る流路の途中部分、具体的には、防臭筒部３ａの内側の封水水面（図７のＡで示した部分）を起点とし、防臭筒部３ａの外側と防臭椀部３ｂの内側の間の封水水面（図７のＢで示した部分）までの部分の流路を水封状態とする。この水封部分（図７のＡからＢに至る流路）を、下水側から逆流した臭気や害虫類は進むことができないため、臭気や害虫類が屋内側に侵入することが防止される。
【００１９】
更に上記第二実施例の封水式排水トラップにおいて、内部の清掃を行う場合、水封部材２の取付部２ａの外縁部分と、トラップ本体１の排水口１ａとの嵌合を解除し、排水口１ａから水封部材２を取り出すようにする。具体的には、防臭筒部３ａを回転させると、回転ロック嵌合が解除され、排水口１ａから水封部材２の取り出しが可能になると共に、接続部６によって接続されている着脱壁５も、接続部６によって防臭筒部３ａに接続されているため、図８に示したように、排水口１ａから排水口１ａから防臭筒部３ａと同時に取り出すことができる。つまり、水封部材２全体を一度にトラップ本体１から取り出すことができる。
このようにして、本実施例では、排水トラップの使用時にバイパス排水口１ｃを閉塞していた着脱壁５が取り出され、バイパス排水口１ｃが開口されることで、封水部４内の封水が、全てトラップ本体１の底面にあるバイパス排水口１ｃから、バイパス部７を介し、排出口１ｂの下流、具体的には三方管１３の、主管部分１３ａとバイパス部７の接続箇所より下水側に排出され、トラップ本体１内部からは封水を含む全ての排水が流出する。このため、清掃時に、封水の影響を受けることなく、トラップ本体１内部の清掃を極めて容易に行うことができる。
【００２０】
次に、本発明の第三実施例を、図面を参照しつつ説明する。
図１１乃至図１５に示した本発明の第三実施例は、排水機器としての流し台Ｋと、その排水を行う排水配管に関するものであって、以下に記載する、流し台Ｋ、排水トラップ、及び配管部材１２等の部材より構成される。
流し台Ｋは、底面に取付孔Ｈを設けた槽体としてのシンクＳと、その下方に配置されるキャビネット部Ｃと、から構成される。
排水トラップは、以下に記載するトラップ本体１、ナット部材１１、及び水封部材２より構成される。
トラップ本体１は、上方を開口した有底円筒状の部材であって、上方の開口部分を、槽体であるシンクＳ内の排水が流入する排水口１ａとすると共に、側面の中間よりも若干上方となる位置に、下方に向かって傾斜する管体部分を備えた、排水を流出させる排出口１ｂを備えてなる。
また、排水口１ａの外側面上端には、周縁に沿って連続するようにして外方向に突出するフランジ部９を有すると共に、フランジ部９の下方側面に雄ネジ部８を備えてなる。尚、トラップ本体１の外径は取付孔Ｈよりも小径で、フランジ部９の外径は取付孔Ｈよりも大径である。
更にトラップ本体１の内側面下端部分には、後述する水封部材２の着脱壁５によって閉塞されるバイパス排水口１ｃを備えてなる。
ナット部材１１は環状の部材であって、内周面に上記トラップ本体１の雄ネジ部８と螺合する雌ネジ部１１ａを備えてなる。
水封部材２は、以下のような防臭椀部３ｂ、着脱壁５、及び防臭筒部３ａと着脱壁５とを一体に接続する接続部６、から構成される。
防臭椀部３ｂは、上端が閉塞され下端が開放された略椀形状であって、側面の上端部分に排出口１ｂに接続される流出口１４を設けてなり、流出口１４が排出口１ｂに接続された状態では、防臭椀部３ｂの下端がトラップ本体１の底面より上方に位置するように配置される。
着脱壁５は、トラップ本体１のバイパス排水口１ｃを閉塞する部材であって、上記した防臭椀部３ｂの流出口１４が排出口１ｂに接続される際、トラップ本体１内部のバイパス排水口１ｃに接続されてバイパス排水口１ｃを閉塞する。
接続部６は、防臭筒部３ａと着脱壁５とを一体に接続する部分であって、防臭椀部３ｂの下端から着脱壁５に向かって延出したリブにより構成される。
配管部材１２は、塩ビ材等硬質樹脂からなる管体であって、直管、曲がり管などから構成される管体と、それらを接続するナット体、クイックバンドＱ等よりなる。
更に本実施例では、配管部材１２の一種として、トラップ本体１の排出口１ｂ及びバイパス排水口１ｃに接続される、下記のような三方管１３を備えてなる。
三方管１３は、上流側端部がトラップ本体１の排出口１ｂに接続される主管部分１３ａと、主管部分１３ａの側面から側方に延出し、端部がバイパス排水口１ｃに接続されるバイパス部７と、から構成される。
尚、本実施例においては、詳述はしないが、必要に応じて各部材の接続部分はパッキングや接着などの方法により水密的に接続される。例えば水封部材２の場合、トラップ本体１の排出口１ｂと、防臭椀部３ｂの流出口１４とは、接続の際にパッキングを利用して着脱自在且つ水密的に接続される。このように、本実施例においては、「水密的に接続した」と特に記載した接続部分以外は水密的に接続されていない、という事ではない。
【００２１】
上記のように構成された各部材は、以下のようにして、排水機器の槽体である流し台ＫのシンクＳに配管される。
まず流し台ＫのシンクＳの取付孔Ｈに、トラップ本体１を上方から挿通させ、トラップ本体１のフランジ部９下面を、シンクＳの取付孔Ｈ周縁の上面に当接させる。次に、トラップ本体１の下方よりナット部材１１を挿通し、トラップ本体１の雄ネジ部８と、ナット部材１１の雌ネジ部１１ａを螺合させることで、トラップ本体１のフランジ部９下面とナット部材１１上面とで、取付孔Ｈ周縁を挟持してトラップ本体１をシンクＳに固定する。
次に、トラップ本体１の排出口１ｂ及びバイパス排水口１ｃを、三方管１３を利用して、次のように接続する。トラップ本体１の排出口１ｂに連続する管体部分の端部を三方管１３の上端に、トラップ本体１のバイパス排水口１ｃからの配管をバイパス管７の端部に、それぞれ接続する。本実施例では、配管部材の一種であるクイックパンドＱを利用して、トラップ本体１と三方管１３の各接続箇所の接続を行っている。
これにより、封水部４（後述するが、本実施例では、トラップ本体１の、底面から排出口１ｂの下端部分までの側面が封水部４である）から排出口１ｂの下流に連通するバイパス部７が形成される。
次に、三方管１３の下流側端部と、下水側に繋がる床下配管とを、配管部材１２を介して接続する。
最後に、水封部材２の流出口１４をトラップ本体１の排出口１ｂに、水封部材２の着脱壁５をバイパス排水口１ｃに、それぞれパッキングを介して水密的に嵌合固定させる。
この時、バイパス排水口１ｃには着脱壁５が嵌め込まれると共に、着脱壁５の外側面と、バイパス排水口１ｃの内周面とがパッキングを介して水密的に接続され、バイパス排水口１ｃが閉塞される。このようにして、第三実施例の封水式排水トラップの、流し台ＫのシンクＳへの施工が完了する。
【００２２】
上記のように構成した流し台Ｋの排水配管について、流し台Ｋを使用して、シンクＳ内に排水が生じると、バイパス排水口１ｃが閉塞されているため、排水が排水トラップの排水口１ａから、トラップ本体１内部に流入し、そのままトラップ本体１内部を、トラップ本体１の排出口１ｂか、防臭椀部３ｂの流出口１４の内の下端の高い方、この実施例では流出口１４まで溜まってゆく。排水の溜まりが流出口１４の下端に達すると、そのまま流出口１４の下端を超えて、排出口１ｂから三方管１３の主管部分１３ａを通過し、配管部材１２を介して床下配管に排出され、最終的に下水側に排出される。
この時、トラップ本体１の底面から、流出口１４の下端まで排水が溜まって封水を形成する。即ち、本実施例では、トラップ本体１内部の、トラップ本体１の底面から流出口１４の下端部分までの内部が封水部４である。
また、トラップ本体１の内部であって、防臭椀部３ｂの下端部分がトラップ本体１の底面よりも上方に配置固定されているため、排水口１ａから排出口１ｂに至る流路の途中部分、具体的には、トラップ本体１の内部であって、防臭椀部３ｂの外側の封水水面（図１２のＡで示した部分）を起点とし、防臭椀部３ｂの内側の封水水面（図１２のＢで示した部分）までの部分の流路を水封状態とする。この水封部分（図１２のＡからＢに至る流路）を、下水側から逆流した臭気や害虫類は進むことができないため、臭気や害虫類が屋内側に侵入することが防止される。
【００２３】
更に上記第三実施例の封水式排水トラップにおいて、内部の清掃を行う場合、水封部材２の流出口１４と、トラップ本体１の排水口１ａとの接続を解除し、排水口１ａから水封部材２を取り出すようにする。この時、接続部６によって防臭椀部３ｂに接続されている着脱壁５も、接続部６によって防臭椀部３ｂに接続されているため、図１３に示したように、排水口１ａから防臭筒部３ａと同時に取り出すことができる。つまり、水封部材２全体を一度にトラップ本体１から取り出すことができる。
このようにして、本実施例では、排水トラップの使用時にバイパス排水口１ｃを閉塞していた着脱壁５が取り出され、バイパス排水口１ｃが開口されることで、封水部４内の封水が、全てトラップ本体１の底面にあるバイパス排水口１ｃから、バイパス部７を介し、排出口１ｂの下流、具体的には三方管１３の、主管部分１３ａとバイパス部７の接続箇所より下水側に排出され、トラップ本体１内部からは封水を含む全ての排水が流出する。このため、清掃時に、封水の影響を受けることなく、トラップ本体１内部の清掃を極めて容易に行うことができる。
【００２４】
本発明の実施例は以上のようであるが、本発明は上記実施例に限定されるものではなく、主旨を変更しない範囲において自由に変更が可能である。
例えば、上記実施例では、排水トラップが施工される排水機器及び槽体を、流し台ＫのシンクＳとしているが、本発明は上記実施例に限定されるものではなく、洗面台の洗面ボウルや浴室の浴槽または浴室パン、洗濯機の下方に配置される洗濯機パンなど、他の排水機器の槽体に使用してももちろん構わない。また槽体や排水トラップの各部材の素材に関しても、金属材や硬質樹脂など、本発明が採用できる範囲で自在に変更しても構わない。
【００２５】
また、上記実施例においては、水封部材２を排水口１ａから取り出すことで、トラップ本体１内部の封水を、全て下水側に排出する構造に構成されているが、本発明はこれに限定されるものではなく、図１６に示した、防臭筒部３ａと環状の着脱壁５からなる水封部材２を有した排水トラップの実施例のように、トラップ本体１の底面に若干の凹部分があるため、この部分に多少排水が残るような構成も含まれる。もちろん全ての排水が排出されるような構造の方が、本発明の目的に照らして好適ではあるが、必要に応じ、封水の一部が残るようにしても、大部分を排出するように構成することでも、本発明の目的である、封水の影響を受けることなく、トラップ本体１内部の清掃を極めて容易に行うことができる、をほぼ達成することができる。
【００２６】
また、上記実施例においては、水封部材２を全て一体の部材として構成しているが、水封部材２が一体の部材として機能する必要があるのは、トラップ本体１への取り付け時においてであって、水封部材２を取り外した後にも常に一体であるように構成する必要は必ずしもない。例えば、第一実施例の水封部材２において、防臭筒部３ａと接続部６とを凹凸や弾性爪を利用した嵌合によって着脱可能な別々の部材に構成し、水封部材２をトラップ本体１から取り外した後に、更に防臭筒部３ａと防臭椀部３ｂとの嵌合を解除させて分離させ、水封部材２を容易に清掃できるようにしても構わない。
もちろん、一体成型や接着などの方法により、水封部材２を取り外した後にも常に一体であるように構成しても構わない。いずれの構成を選択するかは、必要に応じて適宜判断されるものである。
【００２７】
また、上記実施例においては、バイパス部７を全て管状の部材にて構成しているが、本発明はこれに限定されるものではなく、図１７乃至図１８に示した実施例、また図１９乃至図２０に示した実施例のように、トラップ本体１の側面に沿って排出口１ｂからの配管の一部をトラップ本体１と一体に構成し、封水部４と排出口１ｂを隔てる壁面に貫通孔を設けて、これをバイパス部７とするように構成しても構わない。
尚、請求項２、請求項３や、上記実施例２、実施例３等で記載している「封水部４から排出口１ｂの下流に連通するバイパス部７を設ける」とは、あくまで「封水部４から排出口１ｂの下流に連通する流路として、バイパス部７を設ける」という機能的な構造を示すものであり、排水トラップを含む排水配管を成す部材が、施工前にどのように分割されているかによって、発明の範囲が限定されるものではない。例えば第二実施例や第三実施例のように、トラップ本体１とバイパス部７とが別の部材として構成されている場合も、図１７乃至図２０の実施例のように、トラップ本体１とバイパス部７を含む三方管１３に相当する構成を、トラップ本体１と一体の部材として構成した場合も、特に支障無く本発明の範疇に含まれるものである。
【符号の説明】
【００２８】
１      トラップ本体                １ａ    排水口
１ｂ    排出口                      １ｃ    バイパス排水口
２      水封部材                    ２ａ    取付部
３ａ    防臭筒部                    ３ｂ    防臭椀部
４      封水部                      ５      着脱壁
６      接続部                      ７      バイパス部
８      雄ネジ部                    ９      フランジ部
１０    当接部                      １１    ナット部材
１１ａ  雌ネジ部                    １２    配管部材
１３    三方管                      １３ａ  主管部分
１４    流出口                      Ｃ      キャビネット部
Ｋ      流し台                      Ｑ      クイックバンド
Ｓ      シンク
【図１】
2014163164.tif 000003
【図２】
2014163164.tif 000004
【図３】
2014163164.tif 000005
【図４】
2014163164.tif 000006
【図５】
2014163164.tif 000007
【図６】
2014163164.tif 000008
【図７】
2014163164.tif 000009
【図８】
2014163164.tif 000010
【図９】
2014163164.tif 000011
【図１０】
2014163164.tif 000012
【図１１】
2014163164.tif 000013
【図１２】
2014163164.tif 000014
【図１３】
2014163164.tif 000015
【図１４】
2014163164.tif 000016
【図１５】
2014163164.tif 000017
【図１６】
2014163164.tif 000018
【図１７】
2014163164.tif 000019
【図１８】
2014163164.tif 000020
【図１９】
2014163164.tif 000021
【図２０】
2014163164.tif 000022
【図２１】
2014163164.tif 000023
【図２２】
2014163164.tif 000024